(57)【要約】【課題】下向きの水平面に固定されるティッシュボックスホルダであって、強力な接着を要さず、長期に使用しても接着面が剥がれないものを提供すること。【解決手段】ティッシュボックスホルダ１は、開口２ａを有する上面２、上面に対向する底面３、上面及び底面のそれぞれの一側の端部の間に接続する側面４、下向きの水平面に固定される固定面５を備えることを特徴とする。底面３が側面４の側の一側を角度θをなして固定面５に向けられ、θを２０〜８５度とすることで、ティッシュ１１が上方に取り出され、ティッシュ１１を取り出す際の力が、固定面５の接着を剥がすものではなくなる。【選択図】図３
2018177253.tif 000002
【特許請求の範囲】
【請求項１】
固定面と、
底面と、
前記底面に直交し前記底面の一側に設けられた側面とを備え、
前記固定面は前記底面の前記一側に存在することを特徴とする、ティッシュボックスホルダ。
【請求項２】
前記底面の前記一側に設けられ、前記底面に対向する上面を備えることを特徴とする、請求項１に記載のティッシュボックスホルダ。
【請求項３】
前記上面は、ティッシュを取り出すための開口を有することを特徴とする、請求項２に記載のティッシュボックスホルダ。
【請求項４】
前記底面と前記固定面との間に接続する補助面をさらに備え、
前記上面、前記側面、前記底面、前記固定面、及び前記補助面は、側面視において５角形をなすことを特徴とする、請求項２又は３に記載のティッシュボックスホルダ。
【請求項５】
前記固定面を水平な下向きの被固定面に固定した場合において、前記底面は、前記一側を上方にして水平面から２０度〜８５度の角度をなすことを特徴とする、請求項１〜４のいずれか１項に記載のティッシュボックスホルダ。
【請求項６】
前記底面及び前記側面のそれぞれに交差して、前記底面及び前記側面のそれぞれの側部に接続する第２側面をさらに備えることを特徴とする、請求項１〜５のいずれか１項に記載のティッシュボックスホルダ。
【請求項７】
前記固定面は、該固定面を被固定面に着脱可能に固定する固定部材を備えることを特徴とする、請求項１〜６のいずれか１項に記載のティッシュボックスホルダ。
【発明の詳細な説明】
【技術分野】
【０００１】
本発明は、ティッシュボックスを保持するティッシュボックスホルダに関する。
【背景技術】
【０００２】
ティッシュの束が収容されたティシュボックスを保持して家電製品の側面、家具の側面、室内の壁面等の被固定面に固定することで、正面の開口を介してティッシュボックスからティッシュを取り出すことのできるティッシュボックスホルダが知られている。かかるティッシュボックスホルダのうち、特許文献１に示すようにティッシュボックスを横向きに保持するものは、中身が減ると、ボックス内でティッシュの束がその自重により側面に寄って型を崩してしまい、取り出す際に引っかかる傾向がある。
【０００３】
そこで、特許文献２には、卓上で、ティッシュボックスを斜めに保持する卓上型ディスペンサが開示されている。しかし、卓上に限らず、天井面、壁面、テーブル下面等の空間にティッシュボックスを配置することが望まれることもある。特に、テーブル下面に配置することで、空間が有効に利用できる。
【０００４】
特許文献３には、天井面、テーブル下面等の下向きの水平面に固定されるティッシュボックスホルダが開示されている。しかし、ティッシュを下向きに取り出すものであり、ティッシュを取り出す際にティッシュボックスを介して上方の接着面を剥がす力が発生する。剥がれないように強力に接着する（またはビス止め等する）ことも考えられるが、テーブル下面を傷つけてしまうことがあり、好ましくない。この問題は、ティッシュを斜め下方に取り出す場合、真横に取り出す場合にも発生する。また、取り出される１枚のティッシュは、他のティッシュの重量により、ティッシュボックスの面に押しつけられている。このため、取り出しに大きな力が必要となってしまう。
【先行技術文献】
【特許文献】
【０００５】
【特許文献１】特開２００４−０９７３５２号公報
【特許文献２】特開２０１３−０２７６０１号公報
【特許文献３】特開２０１３−０１８５４４号公報
【発明の概要】
【発明が解決しようとする課題】
【０００６】
本発明は、下向きの水平面に固定されるティッシュボックスホルダであって、強力な接着を要さず、長期に使用しても接着面が剥がれないものを提供することを課題とする。
【課題を解決するための手段】
【０００７】
ティッシュを取り出す向きを、斜め上向きにすることによって課題を解決する。斜め上向きに取り出すことは、（１）ティッシュを取り出す際にティッシュボックスを介して発生する力が固定面を押し付ける向きに発生する、（２）取り出しに大きな力が必要となってしまうことがない、という利点を有する。しかし、天井面に取り付ける場合にはティッシュを斜め上向きに取り出すことが容易でないため、下向きの水平面に固定されるティッシュボックスホルダであってティッシュを斜め上向きに取り出すものは、知られていなかった。しかし、テーブルの下面に取り付ける場合にはティッシュを斜め上向きに取り出すことが容易であり、上記利点を享有できる。
【０００８】
本発明のティッシュボックスホルダは、
固定面と、
底面と、
前記底面に直交し前記底面の一側に設けられた側面とを備え、
前記固定面は前記底面の前記一側に存在することを特徴とする。
【０００９】
この特徴によれば、ティッシュボックスを挿入し、底面を斜め下方に傾けて、固定面を固定部材により略水平な下向きの被固定面に着脱可能に固定することで、ティッシュボックスが底面と側面とにより支持され、ティッシュボックスからティッシュを上向き（固定面の方向）に取り出すことができる。ティッシュを取り出す際にティッシュボックスを介して発生する力は固定面を押し付ける向きに発生する。長期に使用しても固定面（接着面）が剥がれないものとなる。
【００１０】
本発明のティッシュボックスホルダは、
前記底面の前記一側に設けられ、前記底面に対向する上面を備えることを特徴とする。
【００１１】
この特徴によれば、上面によってティッシュボックスを安定して保持することができる。
【００１２】
本発明のティッシュボックスホルダは、
前記上面は、ティッシュを取り出すための開口を有することを特徴とする。
【００１３】
この特徴によれば、ティッシュを取り出す際に上面が邪魔になることがない。なお、上面の面積が小さい場合には開口を有さないことも可能である。
【００１４】
本発明のティッシュボックスホルダは、
前記底面と前記固定面との間に接続する補助面をさらに備え、
前記上面、前記側面、前記底面、前記固定面、及び前記補助面は、側面視において５角形をなすことを特徴とする。
【００１５】
この特徴によれば、上面と底面との間の距離を、固定面と補助面とでつなぐ。補助面がない場合に比して、固定面の面積が小さくできる。小さな面積の被固定面に固定する場合に便利である。また、接着剤等による被固定面の傷みを少なくできる。そして、５角形の各辺をなす面が互いに隣接してティッシュボックスホルダの形状を安定させる。板紙等の剛性の比較的小さな材料でティッシュボックスホルダを生産することができる。
【００１６】
本発明のティッシュボックスホルダは、
前記固定面を水平な下向きの被固定面に固定した場合において、前記底面は、前記一側を上方にして水平面から２０度〜８５度の角度をなすことを特徴とする。
【００１７】
この特徴によれば、ティッシュボックスは、水平から２０度〜８５度傾斜して配置される。ボックス内でティッシュの束がその自重により側面に寄って型を崩してしまうことがない。
【００１８】
本発明のティッシュボックスホルダは、
前記底面及び前記側面のそれぞれに交差して、前記底面及び前記側面のそれぞれの側部に接続する第２側面をさらに備えることを特徴とする。
【００１９】
この特徴によれば、底面及び側面により支持されるティッシュボックスの側部が第２側面により支持され、ティッシュボックスがティッシュボックスホルダから抜けて落下してしまうことを防止できる。なお、第２側面は、「底面に直交し前記底面の一側に設けられた」という側面の定義を満たす。互いに交差する側面を備えるものである。
【００２０】
本発明のティッシュボックスホルダは、
前記固定面は、該固定面を被固定面に着脱可能に固定する固定部材を備えることを特徴とする。
【００２１】
この特徴によれば、接着剤などで被固定面に固定せずに、固定部材を用いて着脱することができる。固定部材としては、例えば、片面がティッシュボックスホルダの固定面に貼付され、他面がカバーされた両面テープを用いることができる。
【発明の効果】
【００２２】
本発明によれば、下向きの水平面に固定されるティッシュボックスホルダであって、強力な接着を要さず、長期に使用しても接着面が剥がれないものを提供することが可能となる。
【図面の簡単な説明】
【００２３】
【図１】図１は、ティッシュボックスホルダの構成を示す６面図である。（実施例１）
【図２】図２は、ティッシュボックスホルダの他の構成を示す正面図である。（実施例１）
【図３】図３は、ティッシュボックスホルダの使用例を示す図である。（実施例１）
【図４】図４は、他の構成のティッシュボックスホルダの使用例を示す図である。（実施例２）
【図５】図５は、ティッシュボックスホルダの構成のバリエーションを示す図である。（実施例２）
【図６】図６は、第２側面を備えるティッシュボックスホルダの使用例を示す図である。（実施例３）
【発明を実施するための形態】
【００２４】
以下、本発明の実施例について説明する。
【実施例１】
【００２５】
（ティッシュボックスホルダの構成）
図１に、ティッシュボックスホルダ１の構成を示す。ここで、図１（Ａ）〜（Ｅ）は、それぞれ、平面図、左側面図、正面図、右側面図、及び底面図である。ティッシュボックスホルダ１の背面側の構成は正面側の構成に等しく、背面図は正面図と対象に現れることから、背面図を省略している。ここで、図１（Ｂ）、（Ｄ）における上下方向を縦方向、左右方向を横方向、図１（Ａ）、（Ｃ）、（Ｅ）における左右方向を幅方向とする。なお、図１（Ｃ）に、ティッシュボックスホルダ１に保持されたティッシュボックス１０を点線を用いて示している。ティッシュボックスホルダ１は、ティッシュボックス１０を斜めに保持して被固定面に固定するホルダであり、上面２、底面３、側面４、固定面５、及び補助面６を備える。
【００２６】
上面２は、ティッシュボックス１０の上面を覆う天板である。上面２は、例えば縦１３ｃｍ、横２４ｃｍ、及び厚さ１ｍｍの矩形板状に、ただし中央に例えば縦３ｃｍ及び横１８ｃｍの矩形状の開口２ａを含んで、成形されている。
【００２７】
底面３は、ティッシュボックス１０の底面を支持する底板であり、上面２に対向してその下方に平行に配されている。底面３は、上面２と同じサイズの矩形板状に成形されている。
【００２８】
側面４は、ティッシュボックス１０の側面を支持する側板であり、上面２及び底面３のそれぞれの図上右側の端部の間に直角をなして接続されている。側面４は、例えば横２４ｃｍ、幅８ｃｍ、及び厚さ１ｍｍの板状に成形されている。
【００２９】
固定面５は、ティッシュボックスホルダ１を被固定面に固定するための面板である。固定面５は、例えば横２４ｃｍ、斜め（縦方向と幅方向との間で傾斜）５ｃｍ、及び厚さ１ｍｍの矩形板状に成形されている。
【００３０】
固定面５は水平に固定される。底面３が、側面４の側の一側を固定面５に（上方に）向けて、固定面５に対して角度θをなしている。ここで、θは、６０度である。θの値は任意に設計できるが、２０〜８５度とすることが、ティッシュボックスを傾斜して配置する上で好ましい。θが大きいとティッシュを取り出しやすく、θが小さいとティッシュを取り出す際の力が上方に向く。
【００３１】
補助面６は、底面３の左側の端部と固定面５の左側の端部との間に接続する面板である。補助面６は、例えば横２４ｃｍ、斜め（縦方向と幅方向との間で傾斜）４ｃｍ、及び厚さ１ｍｍの矩形板状に成形されている。なお、本実施例では固定面５を補助面６よりも大きくしたが、同一形状としたり、固定面５を補助面６よりも小さくしたりしてもよい。本実施例では固定面を大きくして確実な固定を行うが、固定面を小さくして被固定面への接触面積を小さくすることもできる。
【００３２】
上面２、底面３、側面４、固定面５、及び補助面６は、板紙、金属、熱可塑性樹脂等を用いて形成され、正面視において５角形の開口１ａを有する枠体（つまり、横方向に開口する５角形状の角筒）である。なお、ティッシュボックスホルダ１の重量を小さくするため、板紙を用いて形成することが好ましい。
【００３３】
図２に、ティッシュボックスホルダ１の他の構成を示す。補助面６を有さず、固定面５が上面２につながるものである。図は正面図のみであり、他図は容易に理解できるので省略した。
【００３４】
（ティッシュボックスホルダの使用）
図３に、ティッシュボックスホルダ１の使用例を示す。この例では、ティッシュボックスホルダ１を用いて、テーブル２１の下面にティッシュボックス１０を保持する。
【００３５】
まず、固定部材５ａを用いて、固定面５をテーブル２１の下面に固定する。それにより、ティッシュボックスホルダ１が、上面２をテーブル２１の端部から斜め下方に傾けてテーブル２１に固定される。固定部材５ａは、両面テープである。ただし、任意の被固定面に付着する粘着剤、金属製の被固定面に磁着する磁石、平らな被固定面に吸着する吸盤等を使用することもできる。なお、固定部材５ａは、ティッシュボックスホルダ１とは別に準備されるものとするが、例えば両面テープ、磁石等をティッシュボックスホルダ１に予め備えてもよい。
【００３６】
次に、ティッシュボックス１０を、一側の開口１ａからティッシュボックスホルダ１の内部に挿入する。ティッシュボックス１０が、底面３及び側面４に面接触して支持される。このときの傾きは６０度（＝θ）（２０〜８５度の範囲で任意に設計可能）であり、ティッシュボックス１０内のティッシュは幾らか側面に寄りつつも底面上に一様に支持されることでその型を維持することができる。また、ティッシュの自重が上面から底面に向かう方向に働き、底面から上面に向かう方向に働かないので、取り出しに大きな力を必要とすることがない。
【００３７】
上面２の開口２ａを介してティッシュボックス１０からティッシュ１１を白抜き矢印の方向に取り出すことができる。ティッシュボックス１０内のティッシュ１１をすべて使用した場合には、ティッシュボックス１０を交換することができる。また、テーブル２１の下面にティッシュボックス１０を保持する必要がなくなった場合には、固定面５をテーブル２１の下面から外すことでティッシュボックスホルダ１を取り外すことができる。
【００３８】
なお、底面３が固定面５に対して角度θをなして接続されていることで、上面２の開口２ａを介してティッシュボックス１０からティッシュ１１を取り出す際に上面２に上向きに加わる力が固定面５を被固定面に押し付ける方向に加わるため、比較的小さい固定力を有する固定部材５ａを採用することができる。
【００３９】
固定力は、ティッシュボックスホルダ１、ティッシュボックス１０、及びティッシュ１１の重量、並びに、ティッシュボックス１０が固定面５の直下でない位置にあることに基づく回転モーメントに対応できるだけのものがあればよい。各種の両面テープによって長期にわたってティッシュボックスホルダ１を保持することができる。特に、ティッシュボックスホルダ１を板紙製とする場合には、剥がした後に粘着剤が残存しない両面テープであっても、強力なものであればティッシュボックスホルダ１を保持することができる。被固定面を傷めずに使用することができる。
【００４０】
以上詳細に説明したように、本実施例のティッシュボックスホルダ１は、開口２ａを有する上面２、上面に対向する底面３、上面及び底面のそれぞれの一側の端部の間に接続する側面４、下向きの水平面に固定される固定面５を備えることを特徴とする。底面３が側面４の側の一側を角度θをなして固定面５に向けられ、θを２０〜８５度とすることで、ティッシュ１１が上方に取り出され、ティッシュ１１を取り出す際の力が、固定面５の接着を剥がすものではなくなる。長期にわたってティッシュボックスホルダ１を保持することができる。
【００４１】
なお、ティッシュボックスホルダ１は、テーブル２１の下面に限らず、略水平な下向きの任意の一面に固定することができる。
【実施例２】
【００４２】
本実施例は、ティッシュボックスホルダ１の形状のバリエーションを示すものである。他の点は実施例１と同様であり、詳細な説明を省略する。
【００４３】
図４に、他の構成のティッシュボックスホルダの使用例を示す。図４（Ａ）は、図３と同様に描いた図である。図３と比較し、上面２が小さく、固定面５に達していない。また、上面２が開口２ａを有していない。
【００４４】
かかる構成においても、底面３が側面４の側の一側を固定面５に向けられ、ティッシュ１１が上方に取り出され、ティッシュ１１を取り出す際の力が固定面５の接着を剥がすものではなくなり。長期にわたってティッシュボックスホルダ１を保持することができる点は、実施例１と同様である。
【００４５】
なお、図４に示した構成では、上面、側面、底面、固定面及び補助面が、側面視において５角形をなしておらず、ティッシュボックスホルダ１の形状を安定させるために剛性を有する材料（例えばプラスチック）を使用することが好ましい。
【００４６】
図４（Ｂ）に、ティッシュボックスホルダ１の斜視図（左側）及びティッシュボックスを保持した状態の斜視図（右側）を示す。
【００４７】
図５に、ティッシュボックスホルダの構成のバリエーションを示す。図５（Ａ）〜（Ｅ）は、図４（Ｂ）と同様の斜視図である。底面３が側面４の側の一側を固定面５に対して２０〜８５度の角度をなして向けられる構成は、各種のものが可能である。いずれにおいても、ティッシュ１１が上方に取り出され、ティッシュ１１を取り出す際の力が固定面５の接着を剥がすものではなくなり。長期にわたってティッシュボックスホルダ１を保持することができる。
【００４８】
図５（Ａ）は、図４（Ｂ）と比較して、固定面５が図面左方に設けられたものである。
【００４９】
図５（Ｂ）は、図５（Ａ）と比較して、上面２及び固定面５の横方向の幅が小さいものである。
【００５０】
図５（Ｃ）は、図５（Ｂ）と同様の構成であるが、上面２を有さず、２つの側面４によってティッシュボックス１０を把持するものである。この構成においては、２つの側面４が、弾性を有し、互いに近接する方向に付勢され、ティッシュボックス１０を挟み付けるように把持する。
【００５１】
図５（Ｄ）は、図５（Ａ）と比較して、把持されるティッシュボックス１０の向きが相違するものである。
【００５２】
図５（Ｅ）は、図５（Ｄ）と比較して、第２側面７が追加され、上面２、底面３、側面４、第２側面７によってティッシュボックス１０を把持するポケットが構成されるものである。
【００５３】
以上詳細に説明したように、ティッシュボックスホルダ１の構成は本実施例に示したものを含め、各種のバリエーションが可能である。いずれも、ティッシュ１１が上方に取り出され、ティッシュ１１を取り出す際の力が固定面５の接着を剥がすものではなくなり。長期にわたってティッシュボックスホルダ１を保持することができる。
【実施例３】
【００５４】
本実施例は、第２側面を備えるティッシュボックスホルダ１’に係るものである。他の点は実施例１と同様であり、詳細な説明を省略する。
【００５５】
図６に、ティッシュボックスホルダ１’の使用例を示す。ティッシュボックスホルダ１’は、上面２、底面３、側面４、固定面５、及び補助面６に加えてさらに第２側面７を備える。第２側面７は、底面３及び側面４のそれぞれに交差する板面であり、底面３及び側面４の接続部の正面側（背面側、又は両側でもよい）に接続されている。挿入したティッシュボックス１０を底面３及び側面４により支持するとともに第２側面７により側部を支持することで、脱落を防止することができる。
【００５６】
なお、第２側面７は、図６に示すように角部に設けるほか、側面の側（図の右下側）に設ける、筒状のティッシュボックスホルダ１’の筒部の全面を覆う、その他各種の形態が考えられる。また、ティッシュボックス１０の片側のみに設けることも両側に設けることもできる。
【００５７】
以上詳細に説明したように、本実施例のティッシュボックスホルダ１’は、実施例１のティッシュボックスホルダ１の機能を備えた上、ティッシュボックス１０の脱落を防止することができる。
【産業上の利用可能性】
【００５８】
下向きの水平面に固定されるティッシュボックスホルダであって、強力な接着を要さず、長期に使用しても接着面が剥がれないものである。多くの個人による利用が考えられる。
【符号の説明】
【００５９】
１    ティッシュボックスホルダ
１’  ティッシュボックスホルダ
１ａ  開口
２    上面
２ａ  開口
３    底面
４    側面
５    固定面
５ａ  固定部材
６    補助面
７    第２側面
１０  ティッシュボックス
１１  ティッシュ
２１  テーブル
【図１】
2018177253.tif 000003
【図２】
2018177253.tif 000004
【図３】
2018177253.tif 000005
【図４】
2018177253.tif 000006
【図５】
2018177253.tif 000007
【図６】
2018177253.tif 000008
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
固定面と、
底面と、
前記底面に直交し前記底面の一側に設けられた側面と,
前記底面の前記一側に設けられ、前記底面に対向する上面と、
前記底面と前記固定面との間に接続する補助面とを備え、
前記上面、前記側面、前記底面、前記固定面、及び前記補助面は、側面視において５角形をなし、
前記固定面は前記底面の前記一側に存在することを特徴とする、ティッシュボックスホルダ。
【請求項２】
前記上面は、ティッシュを取り出すための開口を有することを特徴とする、請求項１に記載のティッシュボックスホルダ。
【請求項３】
前記固定面を水平な下向きの被固定面に固定した場合において、前記底面は、前記一側を上方にして水平面から２０度〜８５度の角度をなすことを特徴とする、請求項１又は２に記載のティッシュボックスホルダ。
【請求項４】
前記底面及び前記側面のそれぞれに交差して、前記底面及び前記側面のそれぞれの側部に接続する第２側面をさらに備えることを特徴とする、請求項１〜３のいずれか１項に記載のティッシュボックスホルダ。
【請求項５】
前記固定面は、該固定面を被固定面に着脱可能に固定する固定部材を備えることを特徴とする、請求項１〜４のいずれか１項に記載のティッシュボックスホルダ。